(57)【要約】【課題】歯科用治療椅子のバックレストの背面に、術者が手を消毒するためのシート（消毒液付着シート）を、巻き取り式に張設する。【解決手段】歯科用治療椅子１のバックレスト９の背面に、該背面の幅方向に所定の間隔をもって、消毒液が付着されたシート１０が巻回された繰り出しロール１１と、前記シート１０を巻き取る巻き取りロール１２を設け、これらロール１１，１２間に張設されたシート１０にて手を拭いて消毒を行う。１３は、巻き取りロール１２を回転するための回転手段である。【選択図】図１
2007143579.tif 000002
【特許請求の範囲】
【請求項１】
バックレストの背面に、該背面の幅方向に巻き取り式に張設された消毒液付着シートを着脱自在に有することを特徴とする歯科用治療椅子。
【請求項２】
前記バックレストと前記張設されたシートとの間に所定の間隔を有することを特徴とする請求項１に記載の歯科用治療椅子。
【請求項３】
前記バックレストの背面に幅方向に所定の間隔をもって、繰り出しロール用軸が立設された繰り出し用アームと、巻き取りロール用軸が立設された巻き取り用アームとを有し、これらのロール用軸にロールシートの中空芯が挿脱自在に装着されることを特徴とする請求項１又は２に記載の歯科用治療椅子。
【請求項４】
前記繰り出し用アームと巻き取り用アームとは、前記バックレストに対して移動可能に取り付けられており、前記バックレストの背面との間隔が調節可能であることを特徴とする請求項３に記載の歯科用治療椅子。
【請求項５】
前記繰り出し用アームと巻き取り用アームとは、ピストン・シリンダにより前記バックレストに対して移動可能であり、該ピストン・シリンダは、全てのインスツルメントがインスツルメントホルダに載置されている時に、フットスイッチの操作レバーを一方の側に操作した時にのみ、前記バックレストから離間する方向に移動することを特徴とする請求項４に記載の歯科用治療椅子。
【請求項６】
前記巻き取り用アームに、該巻き取り用アームに立設された前記巻き取りロール用軸を回転させるための回転手段を有することを特徴とする請求項３乃至５のいずれかに記載の歯科用治療椅子。
【請求項７】
前記回転手段は電動機であり、該電動機はフットスイッチによって回転制御されるものであることを特徴とする請求項６に記載の歯科用治療椅子。
【請求項８】
前記電動機は、全てのインスツルメントがインスツルメントホルダに載置されている時にのみ駆動可能で、かつ、前記フットスイッチの操作レバーを他方の側に移動した時にのみ回転することを特徴とする請求項７に記載の歯科用治療椅子。
【発明の詳細な説明】
【技術分野】
【０００１】
本発明は、歯科用治療椅子、より詳細には、バックレストの背面に、術者が手を消毒するためのシート（消毒液付着シート）が、巻き取り式に張設されている歯科用治療椅子に関する。
【背景技術】
【０００２】
図４は、本発明が適用される歯科治療ユニットの一例を示す全体構成図で、該歯科治療ユニットは、歯科治療椅子１，ワークテーブル２，スピットン３，無影灯４，インスツルメントホルダ５，フットスイッチ６，アシスタントインスツルメントホルダ７，ハンドピース（インスツルメント）８等から成り、インスツルメントホルダ５には、歯科治療において使用する種々のハンドピース、例えば、エアータービン、マイクロエンジン、超音波スケーラ、マルチシリンジ等のハンドピース８が収納されており、周知のように、歯科治療に当り、患者は椅子１に座り、背をバックレスト９に凭れさせ、頭を安頭台に固定して治療を受ける。治療中、術者は治療椅子１を上下動，倒起動，傾斜動等させて、患者を治療しやすい姿勢にし、インスツルメントホルダ５より歯科治療に必要な所望のインスツルメント８を取り出し、例えば、エアータービンを取り出し、フットスイッチ６によって、その回転数を制御しながら、歯牙の切削等の治療を行う。
【０００３】
歯科治療に先立ち、更には、歯科治療の途中或いは終了時において、術者は手を消毒するが、そのために、従来、術者はその都度、席を離れて、洗面所まで行き、そこで、消毒液で手を洗っており、非常に作業能率が悪く、ややもすると、消毒が十分に行われない恐れがあった。
【発明の開示】
【発明が解決しようとする課題】
【０００４】
本発明は、上述のごとき実情に鑑みてなされたもので、特に、歯科治療に先立って、更には、歯科治療の途中或いは終了時において、術者に負担をかけることなく、術者が手軽にかつ頻繁に手を消毒することができるようにした歯科用治療椅子を提供することを目的としてなされたものである。
【課題を解決するための手段】
【０００５】
請求項１の発明は、バックレストの背面に、該背面の幅方向に巻き取り式に張設された消毒液付着シートを着脱自在に有することを特徴としたものである。
【０００６】
請求項２の発明は、請求項１の発明において、前記バックレストと前記張設されたシートとの間に所定の間隔を有することを特徴としたものである。
【０００７】
請求項３の発明は、請求項１又は２の発明において、前記バックレストの背面に幅方向に所定の間隔をもって、繰り出しロール用軸が立設された繰り出し用アームと、巻き取りロール用軸が立設された巻き取り用アームとを有し、これらのロール用軸にロールシートの中空芯が挿脱自在に装着されることを特徴としたものである。
【０００８】
請求項４の発明は、請求項３の発明において、前記繰り出し用アームと巻き取り用アームとは、前記バックレストに対して移動可能に取り付けられており、前記バックレストの背面との間隔が調節可能であることを特徴としたものである。
【０００９】
請求項５の発明は、請求項４の発明において、前記繰り出し用アームと巻き取り用アームとは、ピストン・シリンダにより前記バックレストに対して移動可能であり、該ピストン・シリンダは、全てのインスツルメントがインスツルメントホルダに載置されている時に、フットスイッチの操作レバーを一方の側に操作した時にのみ、前記バックレストから離間する方向に移動することを特徴としたものである。
【００１０】
請求項６の発明は、請求項３乃至５のいずれかの発明において、前記巻き取り用アームに、該巻き取り用アームに立設された前記巻き取りロール用軸を回転させるための回転手段を有することを特徴としたものである。
【００１１】
請求項７の発明は、請求項６の発明において、前記回転手段は電動機であり、該電動機はフットスイッチによって回転制御されるものであることを特徴としたものである。
【００１２】
請求項８の発明は、請求項７の発明において、前記電動機は、全てのインスツルメントがインスツルメントホルダに載置されている時にのみ駆動可能で、かつ、前記フットスイッチの操作レバーを他方の側に移動した時にのみ回転することを特徴としたものである。
【発明の効果】
【００１３】
本発明によると、歯科治療に先立って、更には、歯科治療の途中或いは終了時において、術者に負担をかけることなく、術者が手軽にかつ頻繁に手を消毒することができるので、より衛生的な歯科治療を行うことができる。
【発明を実施するための最良の形態】
【００１４】
図１は、本発明が適用された歯科用治療椅子の一例を説明するための要部構成図で、図中、図４に示した従来の歯科治療ユニットと同様の作用をする部分には、図４の場合と同一の参照番号が付してある。而して、本発明においては、歯科用治療椅子１のバックレスト９の裏側には、術者が手を消毒するための消毒液付着シート（例えば、アルコールシート）１０が装備されている。この消毒液付着シート１０は、繰り出しロール１１と巻き取りロール１２との間に巻き取り式に張設されており、巻き取りロール１２によって術者が手を拭いた後の部分を巻き取って、繰り出しロール１１より、新しい部分が表面に出るようになっており、術者は、常に、新しい面（シート部分）を用いて簡便に手を消毒することができ、衛生的な歯科治療を行うことができる。この場合、張設されたシート１０とバックレスト９との間に間隙を設けておき、この間隙に術者の一方の手を入れ、他方の手を外側にし、両手でシート１０を挟んで両掌を拭くようにするとよい。
【００１５】
図２は、図１に示した消毒液付着シート１０を歯科用治療椅子１のバックレスト９に取り付けるための具体例を説明するための図で、図中、１１は繰り出しロール、１２は巻き取りロール、１３は巻き取り手段で、繰り出しロール１１は消毒液付着シート１０が巻回されたもので、この繰り出しロール１１に巻回された消毒液付着シート１０が、使用されるごとに、手動又は電動の巻き取り手段１３の操作によって巻き取りロール１２に順次巻き取られて、常に、新しい部分（シート）がバックレスト９の裏側に張り渡された状態となっている。
【００１６】
図２は、前述の消毒液付着シート１０を、使用時（実線位置）、バックレスト９から引き出し、非使用時（破線位置）、バックレスト９内に収納するようにした例を示し、使用時は、バックレスト９の背面から所定距離Ｌ離れるように引き出され、この隙間Ｌに術者の一方の手を入れ、他方の手を外側にし、シート１０のＡ，Ｂ両面を術者の両掌に挟んで手を拭くようになっている。１４は、繰り出しロール１１が搭載されるスライドアームで、このスライドアーム１４には繰り出しロール１１の中空芯１１ａが挿入される固定軸１４ａが立設されており、この軸１４ａに対して繰り出しロール１１が回転自在に挿入される。１５は巻き取りロール１２が搭載されるスライドアームで、このスライドアーム１５には巻き取りロール１２の中空芯１２ａが挿入される回転軸１５ａが立設されており、この回転軸１５ａに対して巻き取りロール１２の中空芯１２ａが一体的に連結され、この回転軸１５ａを手動又は電動で回転させることによって、繰り出しロール１１に巻回されているシート１０が巻き取りロール１２に巻き取られ、バックレスト９の裏側に新しいシート１０が張り渡される。
【００１７】
前記スライドアーム１４，１５は、それぞれ、バックレスト９に装備されたスライド用レール１６，１７上に矢印Ｙ方向に移動可能に載置されており、使用時は、手動又は動力を用いて、手前（実線位置）に引き出し、非使用時は、バックレスト９に収納（破線位置）するようにしている。図中、１８はシリンダ、１９はピストンで、シリンダ１８内の液量を多くすることでピストン１９を矢印Ｙ方向に移動させ、それによって、繰り出しロール１１及び巻き取りロール１２をバックレスト９から引き出し（実線位置にし）、或いは、バックレスト９内に収納（破線位置）するようにしている。
【００１８】
巻き取りロール１２は、回転軸１５ａを手動で回転させて回転させるようにしてもよいが、図３に示すように、電動機（モータ）１３を用いて回転させるようにしてもよい。この場合、モータ１３の回転を図４で説明したフットスイッチ６を用いて行うようにしてもよく、その場合、インスツルメント８が全てインスツルメントホルダ５に懸架されていることを条件に、フットスイッチ６の操作レバー６ａを左右の一方（例えば、下方向）に操作した時に、巻き取りロール１２が回転され、繰り出しロール１１のシートが繰り出されて巻き取りロール１２に巻き取られる。
【００１９】
また、インスツルメントホルダ５上に全てのインスツルメント８が懸架されていることを条件に、フットスイッチ６の操作レバー６ａを前記モータ１３を回転する時とは逆の方向（例えば、Ｒ方向）に操作すると、シリンダ１８へ液体が導入され、ピストン１９が押され、繰り出しロール１１及び巻き取りロール１２が収納位置（破線位置）から引き出され（実線位置）、術者は、シート１０を用いて手を消毒することができる。消毒後、繰り出しロール１１及び巻き取りロール１２を手で押し込むと、これらをバックレスト９内に収納する（破線位置）ことができる。
【００２０】
図３は、前記繰り出しロール１１、巻き取りロール１２、巻き取りロール駆動モータ１３、スライドアーム１４，１５、スライド用レール１６，１７の関係を解りやすく示した斜視図で、前述のように、モータ１３を駆動して、巻き取りロール１２を矢印方向に回転し、使用済みのシートＰを巻き取りロール１２に巻き取り、繰り出しロール１１に巻かれた未使用のシートＱを繰り出し、新しい（未使用の）シートＰとして、繰り出しロール１１と巻き取りロール１２との間に張り渡す。
【００２１】
なお、前述の繰り出しロール１１、巻き取りロール１２、及び、巻き取り手段１３を一体的に形成してカセット式とし、このカセットをバックレストの裏側に取り付けるようにしてもよく、このようにすれば、既存のバックレストをそのまま使用して、カセットを取り付けることもできる。
【図面の簡単な説明】
【００２２】
【図１】本発明が適用された歯科用治療椅子の一例を説明するための要部構成図である。
【図２】図１に示した消毒用シートを歯科用治療椅子のバックレストに取り付けるための具体例を説明するための図である。
【図３】繰り出しロール、巻き取りロール、巻き取りロール駆動モータ、スライドアーム、スライド用レールの関係を解りやすく示した斜視図である。
【図４】本発明が適用される歯科治療ユニットの一例を示す全体構成図である。
【符号の説明】
【００２３】
１…治療椅子、５…インスツルメントホルダ、６…フットスイッチ、６ａ…操作レバー、９…バックレスト、１０…消毒液付着シート、１１…繰り出しロール、１１ａ…中空芯、１２…巻き取りロール、１２ａ…中空芯、１４，１５…スライドアーム、１４ａ…固定軸、１５ａ…回転軸、１６，１７…スライド用レール、１８…シリンダ、１９…ピストン。
【図１】
2007143579.tif 000003
【図２】
2007143579.tif 000004
【図３】
2007143579.tif 000005
【図４】
2007143579.tif 000006